(57)【要約】【課題】防水性能が低下しにくいパッケージ構造を提供する。【解決手段】ケース１００と蓋体２００とを備える。ケース１００は一面に開口面１０１を有する。開口面１０１は取付対象３００側に向けて取付対象３００に取り付けられる。蓋体２００は開口面１０１を塞ぐようにケース１００に接合される。ケース１００は、開口面１０１の周囲に周壁１０３を有する。蓋体２００は、周壁１０３に囲まれる空間に少なくとも一部が入り込み、周壁１０３に囲まれた部位でケース１００と接合されている。【選択図】図１
2019176113.tif 000002
【特許請求の範囲】
【請求項１】
一面に開口面を有し、前記開口面を取付対象側に向けて前記取付対象に取り付けられるケースと、
前記開口面を塞ぐように前記ケースに接合される蓋体と、を備え、
前記ケースは、前記開口面の周囲に周壁を有し、
前記蓋体は、前記周壁に囲まれる空間に少なくとも一部が入り込み、前記周壁に囲まれた部位で前記ケースと接合されている
パッケージ構造。
【請求項２】
前記蓋体と前記ケースとは、少なくとも前記開口面と直交する方向において互いに対向する面同士が接合されている
請求項１に記載のパッケージ構造。
【請求項３】
前記周壁と前記蓋体の端面との間に隙間を有する
請求項１又は２に記載のパッケージ構造。
【請求項４】
前記蓋体及び前記ケースの少なくとも一方において、前記蓋体と前記ケースとの接合部分の内側及び外側の少なくとも一方に溝を有する
請求項１ないし３のいずれか一項に記載のパッケージ構造。
【請求項５】
前記周壁の先端面は、前記開口面に対し、前記蓋体とは反対側に向けて傾斜する傾斜部を有している
請求項１ないし４のいずれか一項に記載のパッケージ構造。
【請求項６】
前記傾斜部は平面状である
請求項５に記載のパッケージ構造。
【請求項７】
前記ケースと前記蓋体とは、溶着部にて接合されている
請求項１ないし６のいずれか一項に記載のパッケージ構造。
【請求項８】
請求項１ないし７のいずれか一項に記載のパッケージ構造と、
前記ケースに収容される電子機器と、を備える
電子デバイス。
【発明の詳細な説明】
【技術分野】
【０００１】
本開示は、パッケージ構造及び電子デバイスに関する。詳しくは、電子部品等をパッケージするためのパッケージ構造、及びこのパッケージ構造で電子機器をパッケージした電子デバイスに関する。
【背景技術】
【０００２】
特許文献１は、電子部品を内蔵する電子装置を開示している。この電子装置は、上面に電子部品が収容される凹部を有する絶縁基体と、絶縁基体の上面に取着される金属枠体と、下面の外周部が金属枠体の上面に接合されて凹部を塞ぐ蓋体とを具備している。
【先行技術文献】
【特許文献】
【０００３】
【特許文献１】特開２００６−３３２５９９号公報
【発明の概要】
【発明が解決しようとする課題】
【０００４】
しかし、上記のような電子部品では、絶縁基体と金属枠体との接合部分、及び金属枠体と蓋体との接合部分が外面に露出しているため、その接合部分に泥やほこりなどの異物が達しやすく、異物が電子装置の内部に侵入しやすいという問題があった。
【０００５】
本開示は上記の点に鑑みてなされており、異物が内部に侵入しにくいパッケージ構造を提供することを目的とする。
【課題を解決するための手段】
【０００６】
本開示の一態様に係るパッケージ構造は、ケースと、蓋体とを備える。前記ケースは、一面に開口面を有する。前記開口面は取付対象側に向けて前記取付対象に取り付けられる。前記蓋体は、前記開口面を塞ぐように前記ケースに接合される。前記ケースは、前記開口面の周囲に周壁を有する。前記蓋体は、前記周壁に囲まれる空間に少なくとも一部が入り込み、前記周壁に囲まれた部位で前記ケースと接合されている。
【０００７】
本開示の一態様に係る電子デバイスは、前記パッケージ構造と、前記ケースに収容される電子機器と、を備える。
【発明の効果】
【０００８】
本開示では、パッケージ構造の内部に異物が侵入しにくい、という利点がある。
【図面の簡単な説明】
【０００９】
【図１】図１は、電子デバイスに係る一実施形態を示す斜視図である。
【図２】図２Ａは、電子デバイスに係る一実施形態を示す一部が破断した側面図である。図２Ｂは、図２ＡのＺ１の部分を示す拡大断面図である。
【図３】図３は、電子デバイスに係る一実施形態を示す分解斜視図である。
【図４】図４は、図３のＺ２の部分を示す拡大斜視図である。
【図５】図５は、従来例を示す一部の拡大断面図である。
【発明を実施するための形態】
【００１０】
（１）概要
図１、図２Ａ及び図２Ｂは、本実施形態の電子デバイス１０を示している。電子デバイス１０は、パッケージ構造１と、電子機器４００とを備える。パッケージ構造１は、電子機器４００を内蔵する。電子機器４００は、例えば、角速度センサ、速度センサ、加速度センサ、位置センサ、光電センサなどの各種のセンサを構成する。
【００１１】
本実施形態のパッケージ構造１は、ケース１００と、蓋体２００とを備える。ケース１００は、一面に開口面１０１を有する。開口面１０１は取付対象３００側に向けて取付対象３００に取り付けられる。蓋体２００は、開口面１０１を塞ぐようにケース１００に接合される。ケース１００は、開口面１０１の周囲に周壁１０３を有する。蓋体２００は、周壁１０３に囲まれる空間に少なくとも一部が入り込み、周壁１０３に囲まれた部位でケース１００と接合されている。
【００１２】
本実施形態のパッケージ構造１は、ケース１００と、蓋体２００とを備える。言い換えれば、ケース１００と蓋体２００とでパッケージ構造１が構成されている。ケース１００は、一面に開口面１０１を有する。ケース１００は有底筒状に形成されている。開口面１０１は取付対象３００側に向けて取付対象３００に取り付けられる。言い換えれば、開口面１０１が取付対象３００と向き合う方向でケース１００が取付対象３００に取り付けられる。蓋体２００は、開口面１０１を塞ぐようにケース１００に接合される。すなわち、蓋体２００は、開口面１０１が外部に露出しないように閉塞している。ケース１００は、開口面１０１の周囲に周壁１０３を有する。言い換えれば、開口面１０１は周壁１０３で囲まれている。蓋体２００は、周壁１０３に囲まれる空間に少なくとも一部が入り込んでいる。すなわち、蓋体２００の周囲に周壁１０３が位置している。蓋体２００は周壁１０３に囲まれた部位でケース１００と接合されている。すなわち、ケース１００と蓋体２００の接合部分の周囲には周壁１０３が位置している。
【００１３】
本実施形態のパッケージ構造１であれば、開口面１０１が取付対象３００側に向いており、蓋体２００とケース１００の接合部分が周壁１０３に囲まれる。そのため、図２Ａの矢印のように、ケース１００の外方から泥やほこりなどの異物がケース１００の方に達しても、蓋体２００とケース１００との接合部分及び開口面１０１に異物が到達しにくくなる。すなわち、異物は周壁１０３の先端部と取付対象３００の表面との間の僅かな隙間に侵入しにくく、開口面１０１及び蓋体２００とケース１００の接合部分に到達しにくい。また本実施形態のパッケージ構造１であれば、異物だけでなく洗浄水も蓋体２００とケース１００との接合部分及び開口面１０１に到達しにくくなり、ケース１００内への洗浄水が侵入しにくくなり、防水性能が向上する。
【００１４】
（２）詳細
本実施形態の電子デバイス１０は、各種の電子機器４００を備える。すなわち、電子デバイス１０は、ケース１００内に電子機器４００を内蔵している。電子機器４００は、例えば、角速度センサ、速度センサ、加速度センサ、位置センサ、光電センサなどの各種のセンサを構成する。特に、電子デバイス１０は、例えば、農機具、二輪車又は建設機械等への搭載用のデバイスであって、車体の外部に取り付けられるデバイスに採用可能である。このような車体の外部に取り付けられる電子デバイス１０には、泥やほこりが付着しやすい。また車体を洗浄する際に洗浄水が電子デバイス１０に噴射されやすい。このような場合において、本実施形態のパッケージ構造１は特に有用である。
【００１５】
電子デバイス１０は、パッケージ構造１及び電子機器４００とを備える。電子機器４００は、図３に示すように、例えば、チップ４０２と、これを搭載する回路基板４０１とを備えている。チップ４０２としては各種センサ素子がある。
【００１６】
本実施形態のパッケージ構造１は、ケース１００と蓋体２００とを備える。ケース１００は、一面に開口面１０１を有する。ケース１００は周壁１０３で筒状に形成され、筒状の周壁１０３の一端が外面部１０２で閉塞されている。本実施形態では、四つの周壁１０３で四角筒状に形成されている。外面部１０２で閉塞されていない方の端部は開口面１０１として形成される。四つの周壁１０３である場合、開口面１０１は四角形である。開口面１０１を取付対象３００側に向けて取付対象３００に取り付けられる。すなわち、ケース１００は開口面１０１が取付対象３００に向いた状態で取付対象３００に取り付けられる。取付対象３００は、外面に電子デバイス１０が装着されるものであって、例えば、農機具、二輪車、建設機械等の外装である。
【００１７】
ケース１００は、例えば、ポリカーボネートやアクリルなどの合成樹脂の成形品である。ケース１００は、外面部１０２と、周壁１０３と、取付部１０４及びコネクタ部１０５とを備える。この場合、開口面１０１はケース１００の外面部１０２と反対側の面である。開口面１０１は電子デバイス１０を取付対象３００に取り付けたときに、取付対象３００の表面と対向するように設けられる。
【００１８】
周壁１０３は外面部１０２の周端から一方向に突出している。周壁１０３は外面部１０２の全周にわたって設けられる。外面部１０２は正面から見たときに矩形状である。ケース１００は、開口面１０１の周囲に周壁１０３を有している。すなわち、開口面１０１はその周囲を周壁１０３の先端部で全周にわたって囲まれている。周壁１０３の先端部の内側に開口面１０１が形成されている。周壁１０３の角部は開口面１０１と直交する方向を軸とする方向で曲面に形成されている。また周壁１０３と外面部１０２との間の角部も曲面に形成されている。このようにケース１００の角部が曲面に形成されていると、例えば、砂及び石等がケース１００に衝突してもケース１００の角部が欠けにくくなり、ケース１００の破損が生じにくくなる。本実施形態では車体の外装等を取付対象３００とするため、砂及び石等がケース１００に衝突する状況が想定されるため、特に有用である。
【００１９】
周壁１０３は接合部１０６を有している。接合部１０６は蓋体２００を接合するための接合面１０７を有する。接合部１０６は周壁１０３の内面に突出して設けられている。接合部１０６はケース１００の周方向の全長にわたって設けられている。接合部１０６は周壁１０３と一体である。接合部１０６における取付対象３００との対向面（例えば、下端面）は接合面１０７である。接合面１０７は開口面１０１の全周、つまりケース１００の周方向の全長にわたって設けられている。図４に示すように、接合面１０７は周壁１０３の先端面よりもケース１００の内側に位置している。周壁１０３の先端面と接合面１０７との間には段差が形成されている。接合面１０７は周壁１０３の外面と直交する方向で平面である。接合面１０７は開口面１０１よりもケース１００の内側に位置している。接合面１０７は開口面１０１の周壁１０３に沿った端部と対向する位置にある。本実施形態では、接合部１０６は周壁１０３と一体である。言い換えれば、周壁１０３の先端面に対して、取付対象３００から離れる向きに一段下がった部位が、接合部１０６として機能する。
【００２０】
図４に示すように、接合面１０７は溝１０８を有している。溝１０８はケース１００の周方向の全長にわたって接合面１０７に設けられている。溝１０８は、例えば、Ｖ溝に形成されるが、形状は特に限定されず、一例として半円状の溝などであってもよい。
【００２１】
取付部１０４は複数であって、ケース１００の両方の側面に突出してそれぞれ設けられている。各取付部１０４は、取付対象３００と対向する面を有している。各取付部１０４はその厚み方向で貫通する孔部１１１を有している。すなわち、孔部１１１は各取付部１０４を開口面１０１と直交する方向で貫通している。取付部１０４の取付対象３００側の面は開口面１０１と同じ高さ位置に形成されている。これにより、ケース１００が取付対象３００に取り付けられた状態で開口面１０１と取付対象３００の表面との間の隙間が比較的小さくなり、異物や洗浄水のケース１００内への侵入がより一層生じにくくなる、という利点がある。孔部１１１はその一端が取付部１０４の取付対象３００側に向く面に開口している。孔部１１１の他の一端は、取付部１０４の取付対象３００側とは反対側に向く面に開口している。なお、取付部１０４は、ケース１００の側面に加えて又はケース１００の側面に代えて、ケース１００の前面又は後面に設けられていてもよい。あるいは取付部１０４は開口面１０１に沿ってケース１００の外周面に全長にわたって設けられていてもよい。
【００２２】
コネクタ部１０５は、ケース１００の前面に突出して設けられる。コネクタ部１０５の外面には、他のコネクタと接続する際に位置決めとなるガイド部１１３が設けられている。
【００２３】
蓋体２００は、ポリカーボネート又はアクリルなどの合成樹脂の成形品である。蓋体２００は透光部材として形成することができ、例えば、３０％以上の光透過率を有することができる。蓋体２００は開口面１０１と相似形の外形を有し、開口面１０１に比較して、ほぼ同じ大きさ又はやや小さめの大きさを有する平板である。開口面１０１よりも蓋体２００の外形がやや小さい場合、開口面１０１に蓋体２００が嵌まりやすくなり、ケース１００への蓋体２００の接合が行いやすくなる。蓋体２００の厚みは、周壁１０３の先端面と接合面１０７との間の段差よりも大きく形成されている。したがって、蓋体２００を接合面１０７に接合してケース１００に取り付けると、蓋体２００の取付対象３００側の面が開口面１０１よりも外側（取付対象３００側）に位置することになる。
【００２４】
そして、ケース１００内に電子機器４００を収容した状態で、蓋体２００は開口面１０１を塞ぐようにケース１００に接合される。すなわち、ケース１００は蓋体２００で開口面１０１が閉じられて密閉される。本開示でいう「接合」とは、接着、粘着、溶着及び圧着等の、２部材を機械的に結合するための種々の態様を含む。
【００２５】
接着の一態様として、ケース１００と蓋体２００とは、接着剤などで接合される。接着剤で接合すれば、比較的簡便な作業でケース１００と蓋体２００との接合が行え、また接合面１０７と蓋体２００との間に凹凸があっても、その凹凸を接着剤で埋めることができ、接合面１０７と蓋体２００との間に隙間が生じにくい、などの利点がある。粘着の一態様として、ケース１００と蓋体２００とは、片面又は両面の粘着テープなどで貼り合わせられる。粘着テープで接合すれば、接着剤で接合する場合に比べて、塗布工程及び乾燥工程がほとんど必要なく、接合が簡単に行えるなどの利点がある。溶着の一態様として、レーザ溶着、超音波溶着又は熱溶着などがある。溶着によれば、ケース１００の一部と蓋体２００の一部とが溶融して一体化するため、接合部分が紫外線等により経年劣化しにくくなり、ケース１００と蓋体２００との接合強度が低減しにくい、などの利点がある。特に、溶着の場合は、ケース１００と蓋体２００とが一体化されて防水性能が向上するため、周壁１０３との相乗効果で更に防水性能が向上しやすい。圧着の一態様として、熱圧着又は超音波熱溶着などがある。
【００２６】
図２Ｂのように、蓋体２００は、周壁１０３に囲まれる空間に少なくとも一部が入り込み、周壁１０３に囲まれた部位でケース１００と接合されている。すなわち、蓋体２００とケース１００との接合部分の周囲には、周壁１０３が存在することになり、外部に露出されにくくなっている。本実施形態では、周壁１０３の先端面と接合面１０７との間の段差よりも、蓋体２００の厚みが大きい。そのため、蓋体２００の少なくとも一部は、周壁１０３に囲まれる空間から突出する。
【００２７】
上記のように形成される電子デバイス１０は、取付部１０４により、取付対象３００に取り付けられる。このとき、取付部１０４は、孔部１１１の一端が開口する面が取付対象３００の表面に接触した状態で取付対象３００に固定される。取付部１０４を取付対象３００に固定するにあたっては、孔部１１１にビスなどの固定具を差し込み、この固定具を取付対象３００にねじ込むようにする。このとき、取付部１０４の取付対象３００側の面は、蓋体２００の外面（ケース１００側と反対側の面）及び周壁１０３の先端面（例えば、下端面）よりも外側に位置しているため、蓋体２００の外面及び周壁１０３の先端面と取付対象３００の表面との間には隙間１２０が設けられる。また取付部１０４はケース１００の外面に突出して設けられ、孔部１１１が取付対象３００と反対側に開口しているため、孔部１１１に固定具を差し込む場合に、孔部１１１が目視しやすく、ケース１００が邪魔にならない。したがって、電子デバイス１０を取付対象３００に取り付けやすい。
【００２８】
上記のようにして電子デバイス１０を取付対象３００に取り付けると、ケース１００の開口面１０１は取付対象３００側に向いており、蓋体２００で閉じられた状態で取付対象３００の表面と対向している。したがって、取付対象３００側から開口面１０１に対して異物が到達しにくくなり、ケース１００内に異物が侵入しにくくなる。
【００２９】
また、蓋体２００と接合されるケース１００の接合面１０７は、開口面１０１よりもケース１００の内側に位置し、周壁１０３で囲まれている。つまり、周壁１０３の先端面と接合面１０７との間には段差が形成され、周壁１０３の先端面に対して、取付対象３００から離れる向きに一段下がった部位が接合面１０７となる。このため、異物及び洗浄水がケース１００と蓋体２００との接合部分に外部から到達しにくくなり、ケース１００内の防水性及び防塵性が得やすい、という利点がある。
【００３０】
また、周壁１０３の先端面と接合面１０７との間の段差によれば、周壁１０３の外面から接合面１０７を通ってケース１００の内部に至る経路が蛇行するため、ケース１００の外面とケース１００の内面との間の沿面距離が稼げることになる。したがって、ケース１００の内部に収容した電子機器４００と、ケース１００の外部との間の電気的な絶縁を確保しやすくなる、という利点がある。加えて、接合面１０７に溝１０８が形成されているため、溝１０８が無い場合に比べて、更に、周壁１０３の外面から接合面１０７を通ってケース１００の内部に至る経路が長くなり、沿面距離を増加させることができる。
【００３１】
周壁１０３の先端の外側部分は傾斜部１１０を有している。傾斜部１１０は、図３に示すように、ケース１００の周方向の全長にわたって周壁１０３の先端に設けられている。傾斜部１１０は、例えば、面取り加工により形成される。このように周壁１０３の下端の外側角部を除去して傾斜部１１０を設けていると、周壁１０３の角部に石等が当たりにくくなる。このため、周壁１０３の破損が低減できる、という利点がある。また傾斜部１１０は、Ｃ面取りにより、平面状に形成される。すなわち、傾斜部１１０は開口面１０１とは反対側に傾斜する平坦な面である。傾斜部１１０を平坦な面にすると、例えば、周壁１０３に作用する洗浄水の圧力が低減されやすい。さらに傾斜部１１０は、開口面１０１に対し、蓋体２００とは反対側に向けて傾斜している。すなわち、傾斜部１１０は蓋体２００側とは離れる方向でケース１００の外側に向いて傾斜している。したがって、開口面１０１と直交する方向に対してケース１００の外側に向く方向に傾斜部１１０は傾斜している。
【００３２】
蓋体２００とケース１００とは、少なくとも開口面１０１と直交する方向において互いに対向する面同士が接合されている。すなわち、蓋体２００の片面とケース１００の接合部１０６の先端面である接合面１０７とが接合されることになる。接合面１０７は蓋体２００のケース１００内に向く面の周端部と全周にわたって接合される。これにより、蓋体２００とケース１００の間に隙間が生じにくくなり、異物及び洗浄水がケース１００内に侵入しにくくなる。
【００３３】
ケース１００と蓋体２００とは、溶着部１１２にて接合されている。すなわち、ケース１００に設けられた接合面１０７と蓋体２００の片面とが、例えば、レーザ溶着又は超音波溶着又は熱溶着などにより接合される。溶着部１１２は開口面１０１を囲うように接合面１０７の全長にわたって形成される。これにより、蓋体２００と接合面１０７との間に隙間が形成されにくくなり、ケース１００内への異物や洗浄水の浸入が低減される、という利点がある。また周壁１０３と蓋体２００の端面２０１との間に隙間２０２を有する。すなわち、蓋体２００の端面２０１は周壁１０３と接触せず、ケース１００の内側に位置することになる。また蓋体２００とケース１００との接合部分（溶着部１１２）の内側に溝１０８を有する。すなわち、蓋体２００は溝１０８の外側で溶着部１１２により接合面１０７と接合される。ケース１００と蓋体２００とを溶着部１１２で接合する場合、溶融した樹脂が溝１０８に流れ込むことがある。このため、溶融した樹脂がケース１００内に流れ込むことが低減され、ケース１００内に収容した電子機器４００に樹脂が付着しにくくなる、という利点がある。
【００３４】
また蓋体２００と接合面１０７との接合部分が周壁１０３の先端部で囲まれているため、洗浄水が周壁１０３にあたっても、その応力が蓋体２００と接合面１０７との接合部分に作用しにくくなり、蓋体２００の取付強度が向上する。例えば、図５の従来例のように、蓋体５００の周端部に壁部５０１を設けた場合であっても、洗浄水が直接ケース５０２と蓋体５００の接合部分５０３に当たらないようにすることはできるが、壁部５０１に洗浄水が当たることにより生じる応力は、せん断応力となって接合部分５０３に作用する。一方、本実施形態では、周壁１０３に洗浄水があたっても、蓋体２００と接合面１０７との接合部分（溶着部１１２）にせん断応力が作用しにくい。これは、周壁１０３の先端面と接合面１０７との間には段差が形成されていることに起因する。このため、接合面１０７にせん断応力が作用しにくくなり、ケース１００と蓋体２００との接合強度が低下しにくい、という利点がある。
【００３５】
また周壁１０３の先端部と取付対象３００のとの間に隙間１２０が設けられているため、この隙間１２０に洗浄水が入り込んでも洗浄水の圧力が減少する。したがって、蓋体２００とケース１００との接合部分には、洗浄水は圧力が弱まった状態で作用することになり、防水性能が向上する、という利点がある。
【００３６】
そして、本実施形態ではＩＰ６９Ｋ（ドイツ規格DIN40050 PART9で定められた高温・高圧水・スチームジェット洗浄に対する保護規定）のような高圧洗浄であっても、防水性能が低減しにくい。すなわち、ＩＰ６９Ｋでは、洗浄対象物を回転させながら高圧の洗浄水を洗浄対象物に外側から噴射することがあるが、本実施形態では、取付対象３００側にケース１００の開口面１０１が向いている。しかも、ケース１００の内部でケース１００と蓋体２００との接合が行われ、さらに、その接合部分が周壁１０３で囲まれているために、高圧洗浄水であっても、ケース１００内への浸入を低減することができる。
【００３７】
（変形例）
溝１０８は蓋体２００とケース１００の接合部分の内側に設けるだけでなく、蓋体２００とケース１００の接合部分の外側に設けることができる。また溝１０８は蓋体２００とケース１００の接合部分の内側及び外側の両方に設けることができる。また溝１０８はケース１００の接合面１０７に設けるだけでなく、蓋体２００の表面に設けてもよく、接合面１０７と蓋体２００の表面の両方に設けてもよい。このように複数の溝１０８を設けた場合は、周壁１０３の外面から接合面１０７を通ってケース１００の内部に至る経路が更に長くなり、沿面距離を増加させることができる。
【００３８】
取付部１０４を取付対象３００に固定するにあたっては、ビスなどの固定具だけでなく、例えば、ボルト及びナットなどからなる締結具を用いることもできる。また取付部１０４を取付対象３００に固定するにあたって、接着剤を使用してもよい。
【００３９】
接合部１０６は周壁１０３と一体に限らず、周壁１０３とは別体であってもよい。この場合において、例えば、接合部１０６と周壁１０３とでは材質が異なっていてもよいし、接合部１０６と周壁１０３との間に隙間があってもよい。
【００４０】
ケース１００は、接合部１０６のうち取付対象３００側を向いた面（つまり接合面１０７）のみで蓋体２００と接合される構成に限らず、接合面１０７に加えて又は代えて、周壁１０３の内周面にて蓋体２００と接合されてもよい。すなわち、ケース１００は、周壁１０３に囲まれた部位にて蓋体２００と接合されていればよく、周壁１０３に囲まれた部位におけるいずれの面で蓋体２００と接合されてもよい。具体的には、周壁１０３のうち蓋体２００の端面２０１と対向する面、つまり周壁１０３の内周面にて、ケース１００と蓋体２００とが接合されていてもよい。この場合、蓋体２００の端面２０１と周壁１０３の内周面との間に隙間２０２（図２Ｂ参照）が生じないため、蓋体２００の端面２０１に圧力が作用したとしても、蓋体２００と接合面１０７との接合部分（溶着部１１２）にせん断応力が作用しにくくなる。
【００４１】
周壁１０３の傾斜部１１０は設けなくてもよく、この場合、周壁１０３の下端外周は角ばった形状となる。また傾斜部１１０は平面状だけでなく、例えば、Ｒ面などの曲面に形成されていてもよい。
【００４２】
（まとめ）
第１の態様に係るパッケージ構造（１）は、ケース（１００）と蓋体（２００）とを備える。ケース（１００）は一面に開口面（１０１）を有する。開口面（１０１）は取付対象（３００）側に向けて取付対象（３００）に取り付けられる。蓋体（２００）は開口面（１０１）を塞ぐようにケース（１００）に接合される。ケース（１００）は、開口面（１０１）の周囲に周壁（１０３）を有する。蓋体（２００）は、周壁（１０３）に囲まれる空間に少なくとも一部が入り込み、周壁（１０３）に囲まれた部位でケース（１００）と接合されている。
【００４３】
このような構造であれば、開口面（１０１）が取付対象（３００）側に向いて直接異物及び洗浄水が作用しにくくなり、またケース（１００）と蓋体（２００）との接合部分も周壁（１０３）で囲まれて直接異物及び洗浄水が作用しにくくなり、防水性能及び防塵性能が低下しにくい。
【００４４】
第２の態様に係るパッケージ構造（１）は、第１の態様において、蓋体（２００）とケース（１００）とは、少なくとも開口面（１０１）と直交する方向において互いに対向する面同士が接合されている。
【００４５】
このような構造であれば、周壁（１０３）に洗浄水が噴射されても、ケース（１００）と蓋体（２００）との接合部分にせん断応力がかかりにくくなり、蓋体（２００）の取付強度が低下しにくい。
【００４６】
第３の態様に係るパッケージ構造（１）は、第１又は２の態様において、周壁（１０３）と蓋体（２００）の端面との間に隙間（２０２）を有する。
【００４７】
このような構造であれば、周壁（１０３）に洗浄水が噴射されても、隙間（２０２）の緩衝により蓋体（２００）に力が加わりにくくなり、蓋体（２００）の取付強度が低下しにくい。
【００４８】
第４の態様に係るパッケージ構造（１）は、第１ないし３のいずれかの態様において、蓋体（２００）及びケース（１００）の少なくとも一方において、蓋体（２００）とケース（１００）との接合部分の内側及び外側の少なくとも一方に溝（１０８）を有する。
【００４９】
このような構造であれば、蓋体（２００）とケース（１００）との接合を溶着した場合に、蓋体（２００）とケース（１００）と溶融した部分が溝（１０８）に入り込むことになり、蓋体（２００）の取付強度が低下しにくい。
【００５０】
第５の態様に係るパッケージ構造（１）は、第１ないし４のいずれかの態様において、周壁（１０３）の先端面は、開口面（１０１）に対し、蓋体（２００）とは反対側に向けて傾斜する傾斜部（１１０）を有している。
【００５１】
このような構造であれば、周壁（１０３）の先端面を回り込んで進入する洗浄水の圧力を低減することができ、防水性能が低下しにくい。
【００５２】
第６の態様に係るパッケージ構造（１）は、第５の態様において、傾斜部（１１０）は平面状である。
【００５３】
このような構造であれば、周壁（１０３）の先端面を回り込んで進入する洗浄水の圧力をさらに低減することができ、防水性能が低下しにくい。
【００５４】
第７の態様に係るパッケージ構造（１）は、第１ないし６のいずれかの態様において、ケース（１００）と蓋体（２００）とは、溶着部（１１２）にて接合されている。
【００５５】
このような構造であれば、ケース（１００）と蓋体（２００）との接合部分の密着性が向上し、防水性能及び蓋体（２００）の取付強度が低下しにくい。
【００５６】
第８の態様に係る電子デバイス（１０）は、第１ないし７のいずれかの態様に係るパッケージ構造（１）と、ケース（１００）に収容される電子機器（４００）と、を備える。
【００５７】
このような構造であれば、電子機器（４００）をパッケージ構造（１）で洗浄水から保護することができ、洗浄水による電子機器（４００）の破損を低減しやすい。
【符号の説明】
【００５８】
１  パッケージ構造
１０  電子デバイス
１００  ケース
１０１  開口面
１０３  周壁
１０８  溝
１１０  傾斜部
１１２  溶着部
２００  蓋体
２０２  隙間
３００  取付対象
４００  電子機器
【図１】
2019176113.tif 000003
【図２】
2019176113.tif 000004
【図３】
2019176113.tif 000005
【図４】
2019176113.tif 000006
【図５】
2019176113.tif 000007